(57)【要約】【課題】撮影者自身が、手鏡を用いて行うように顔全体を眺め、必要に応じ顔の一部を詳細に見ることができる鏡を有し、所望する顔画像又は所望する部位の画像を得る撮影装置を提供すること。【解決手段】撮影者が手で保持をして自分の顔を撮影する撮影装置であって、顔に対向する面に、顔全体を映し出すサイズの平面鏡を備えることを特徴とする撮影装置。【選択図】図１
2008072288.tif 000002
【特許請求の範囲】
【請求項１】
撮影者が手で保持をして自分の顔を撮影する撮影装置であって、
顔に対向する面に、顔全体を映し出すサイズの平面鏡を備えることを特徴とする撮影装置。
【請求項２】
前記平面鏡の縦方向の中心線上であって、横方向の中心線よりも上方にある位置の背面側に撮影レンズを配置することを特徴とする請求項１に記載の撮影装置。
【請求項３】
接写機能を有することを特徴とする請求項１又は２に記載の撮影装置。
【請求項４】
前記撮影装置の顔に対向する面と背面との間の上側面を背面方向に下る斜面となし、前記斜面にシャッターボタンを設けることを特徴とする請求項１〜３のいずれか１項に記載の撮影装置。
【請求項５】
撮影された画像を表示する表示手段を有することを特徴とする請求項１〜４のいずれか１項に記載の撮影装置。
【請求項６】
前記表示手段が照明手段を兼ねることを特徴とする請求項５に記載の撮影装置。
【発明の詳細な説明】
【技術分野】
【０００１】
本発明は、撮影者が自分の顔を記録する撮影装置に関する。
【背景技術】
【０００２】
撮影者が、カメラを手で保持しながら自分自身を撮影できるカメラ、通称自分撮りカメラと呼ばれるカメラが知られている。
【０００３】
これらのカメラの多くは、撮影しようとする画像を撮影前に確認するための液晶表示手段を備えている。
【０００４】
この液晶表示手段の画像表示面は、通常の撮影の時にはカメラの背面に位置させるが、自分撮りに際しては、この画像表示面を、カメラの前面からも見ることができるように液晶表示手段を回転させ、同時に画像の表示を左右反転させるようにしたものが多い（例えば、特許文献１参照。）。
【０００５】
しかしながら、上述したような自分撮りカメラの液晶表示手段の表示画面では、表示画面のサイズ、更に表示画面を構成する液晶のドット数及びドット密度による制限から、撮影者は、撮影前の顔の配置や大凡の表情程度しか確認することができない。
【０００６】
液晶表示手段のような表示手段を用いないカメラの場合には、撮影レンズが位置する面である被写体に対向する面の一部に平面鏡、又は凸面鏡を設ける提案もある（例えば、特許文献２参照。）
しかしながら、このような鏡も、そのサイズ、あるいは形状から、顔を丁寧に見たいという要求に応えることは難しい。
【０００７】
従って、上述したような従来の自分取りカメラでは、顔全体を眺め、必要に応じ顔の一部を詳細に見て撮影をしたいという要求、例えば、顔の表情の変化や顔の特定の部位を長期間定期的に記録したいという医用分野からの要求、あるいは化粧、ヘアースタイルの出来映えを確認して、顔全体、又は一部を撮影したいという美容分野からの要求に応えることは困難である。
【特許文献１】特開２００３−１１０８８５号公報
【特許文献２】特開平７−２０５５３号公報
【発明の開示】
【発明が解決しようとする課題】
【０００８】
本発明は、上述したような状況に鑑みてなされたもので、その目的は、撮影者自身が、手鏡を用いて行うように顔全体を眺め、必要に応じ顔の一部を詳細に見ることができる鏡を有し、所望する顔画像又は所望する部位の画像を得る撮影装置を提供することにある。
【課題を解決するための手段】
【０００９】
上記課題は、以下の発明を実現することにより達成される。
１．撮影者が手で保持をして自分の顔を撮影する撮影装置であって、
顔に対向する面に、顔全体を映し出すサイズの平面鏡を備えることを特徴とする撮影装置。
２．前記平面鏡の縦方向の中心線上であって、横方向の中心線よりも上方にある位置の背面側に撮影レンズを配置することを特徴とする１項に記載の撮影装置。
３．接写機能を有することを特徴とする１又は２項に記載の撮影装置。
４．前記撮影装置の顔に対向する面と背面との間の上側面を背面方向に下る斜面となし、前記斜面にシャッターボタンを設けることを特徴とする１〜３項のいずれか１項に記載の撮影装置。
５．撮影された画像を表示する表示手段を有することを特徴とする１〜４項のいずれか１項に記載の撮影装置。
６．前記表示手段が照明手段を兼ねることを特徴とする５項に記載の撮影装置。
【発明の効果】
【００１０】
本発明により、撮影者自身が、手鏡を用いて行うように顔全体を眺め、必要に応じ顔の一部を詳細に見ることができる鏡を有し、所望する顔画像又は所望する部位の画像を得る撮影装置が提供される。
【発明を実施するための最良の形態】
【００１１】
以下、本発明の実施の形態を図面をもとに説明する。
【００１２】
図１は、本発明の撮影装置の実施例の概念図である。
【００１３】
撮影装置１は、撮影部２、表示部３から構成され、前記撮影部２と前記表示部３とは、軸４を中心にして回転可能に接続されている。
【００１４】
被写体となる人物の顔に対向する面２１（前面）には、平面鏡２２が設けられている。前記平面鏡２２の点線２３で示す円形の領域は、あらかじめ定めた透過率を有するハーフミラーとなっており、その領域の背面には、撮影レンズ２４が配置されている。
、開状態における表示部３の人物の顔に対向する面３１には、公知の表示手段である液晶表示面３２が設けられている。
【００１５】
前面にある被写体からの反射光は、前記ハーフミラー、撮影レンズ２４、ミラー２５、を介して撮像素子であるＣＣＤ２６に導かれ、ＣＣＤ２６の受光面上に前記被写体の像を形成する。
【００１６】
また、撮影レンズは、顔あるいはその周辺の一部の近接撮影をするための接写機能を有しており、被写体に自動的に焦点を合わせる自動焦点機構と共に制御される。なお、これらは公知の撮像技術から構成される。
【００１７】
図に示すように撮影レンズ２４の光軸は平面鏡２２の背面側に、前記平面鏡２２の縦方向の中心線ｙ上であって、横方向の中心線ｘよりも上方に距離ｙ１だけ離れるように配置されている。この距離ｙ１は、被写体となる人物の目線の高さと撮影レンズ２４の光軸の位置をできる限り一致させるために決められるもので、複数の被験者を基にした実験により求められるものである。
【００１８】
なお、被写体の目線と撮影レンズ２４の光軸の位置の一致は、顔の表情を的確に捉える際の最も重要な要件として知られている公知の事柄である。
【００１９】
図２は、撮影者が、前記撮影装置１を片手で保持して、平面鏡２２を自分の顔に向けた場合の手や腕の形を示す図である。
【００２０】
平面鏡２２のサイズは、撮影装置１を手のひらで保持して腕を伸ばした時に、顔全体が鏡に映る必要があることから、一般に、縦１５０ｍｍ、横１００ｍｍ以上が望ましいが、大きすぎると保持性が低下する。
【００２１】
なお、顔の大きさに関しては、７〜９０歳の男女３万４千人の測定を行い、頭高さ２０２〜２７９ｍｍ、頭幅１３７〜１７０ｍｍの範囲に９０％の人が入るという社団法人「人間生活工学センター」の報告もある。
【００２２】
撮影者が見る顔の範囲は、平面鏡のサイズと、顔と平面鏡の距離とにより決まるが、前記報告及び腕の長さを勘案すると、顔画像を含む縦３００ｍｍ、横２００ｍｍの範囲の像を見ることができる上述したような平面鏡のサイズが望ましい。
【００２３】
図３は、撮影装置１の背面を示す図である。
【００２４】
図で示すように、撮影装置１の上側面２７は背面方向に下る斜面となっており、その面にはシャッターボタン２８が設けられている。撮影者は、撮影装置１を保持している手の人指し指でシャッターボタン２８を押す。
【００２５】
通常のカメラは、各面が互いに直角の関係にある扁平な箱形をしており、シャッタボタンは、その上側面に設けられるが、図２にて示すような保持形態をとる撮影装置においては、その様なシャッタボタンの位置は、シャッタボタンを押す指の位置と形状が不自然なものとなり、結果としてシャッタブレ等の問題を生ずることもある。
【００２６】
図３に示すシャッタボタン２８の位置は、本発明による撮影装置１におけるシャッタボタンの操作性と撮影装置の保持性を両立させるものである。
【００２７】
図４は、撮影装置１の制御関係を示すブロック図である。
【００２８】
撮影装置１の制御手段Ｃは、ＣＰＵ、メモリＭ、入出力Ｉ／Ｏ、通信用インターフェイス、駆動回路等からなるコンピュータシステムであり、制御対象となる各手段の制御は、メモリＭに格納されているプログラムを実行させることによりなされる。
【００２９】
また、制御手段Ｃは、通信手段Ｔを介して、パーソナルコンピュータ等の情報処理機器との情報交換も可能である。
【００３０】
なお、本図では、本発明の説明に直接関係しないブロックの記載が省略されている。
【００３１】
図５は、撮影装置１を用いた撮影の流れを説明するフローチャートである。
【００３２】
撮影装置１を使用しないときには、表示手段３は閉じられている（図１の点線位置）。
【００３３】
閉状態にある前記表示手段３を開けると（ステップＳ１）、表示手段３の液晶表示面３２が制御手段Ｃによって照明モードに設定される（ステップＳ２）。
【００３４】
なお、ここでいう照明モードとは液晶用バックライトの光量を最大にして液晶表示面３２を最も明るい状態にするモードを意味しており、液晶表示面３２を照明手段として用いるモードである。
【００３５】
本発明の撮影装置１は、顔全体、顔の一部、あるいは顔の周辺を撮影することを目的としていることから、液晶表示面３２による照明は、顔にできる影の発生を防ぎ、また、あごの下や、耳の後ろのように通常影となっている部位の撮影に有効に作用するものである。
【００３６】
また、本発明の撮影装置１は、顔に面する撮影部の前面２１が鏡であることから、被写体からの反射光が、鏡により再度被写体に向けて反射されることから、より明るい効果的な照明が実現される。
【００３７】
撮影装置１は、保持している手を移動させ、鏡を見ることにより、顔全体、あるいは一部の検査確認を行う（ステップＳ３）。
【００３８】
検査確認を終え、撮影範囲が決定すると（ステップＳ４：Ｙ）、目的とする画像が得られる位置に撮影装置を保持して、シャッタボタン２８を押すことにより撮影を行う（ステップＳ５）。
【００３９】
撮影が終了すると、撮影された画像は液晶表示面３２に表示される（ステップＳ６）。撮影者が確認ボタン２９（図４に図示）を押すと前記撮影された画像はメモリＭの所定のファイルに保存される（ステップＳ７）。
【００４０】
さらに撮影を行う場合には（ステップＳ８：Ｙ）、ステップ３に戻り、また、撮影を終了するときには（ステップＳ８：Ｎ）、表示手段３を閉じることにより（ステップＳ９）、撮影を終了させる。
【００４１】
図６は、撮影装置１の他の実施形態を示す図である。
【００４２】
撮影部２の下部には取っ手５が、回転可能に取り付けられており、撮影装置１を使用しないときには、図の点線位置に収め、使用時には実線位置に固定する。
【００４３】
撮影装置の手による保持形態が上述した図１の形態と異なることから、シャッタボタン２８の位置も取っ手５の位置に変更されている。なお、通常、このシャッタボタン２８は、取っ手５を保持する手の親指で押される。
【００４４】
以上説明したような、撮影装置が提供されることにより、撮影者は自分の顔全体、又は所望の部位の両方を詳細に鏡で確認した後に、顔全体又は所望の部位の撮影をすることができる。
【００４５】
このようにして撮影された画像は、制御手段ＣのメモリＭに設けられたファイル、又は通信手段Ｔを介して接続されるパーソナルコンピュータ等の情報処理機器のファイルに保存される。
【００４６】
保存された画像は、必要に応じ読み出されて、目的に対応した処理がなされる。
【００４７】
以上説明したように、本発明の撮影装置は、撮影者自身が自分の表情をはじめ、顔全体から部分に至るまで、手軽に撮影できる特徴を有する。
【００４８】
このような特徴を有する撮影装置は、特に、一定期間、定期的に撮影を行い、撮影した画像を、時系列的に読み出し、それらの変化を確認する目的、例えば、医用面における治療経過や表情の変化の確認と記録、あるいは美容面での処置の出来映えの確認と記録等を行う際に使用する撮影装置として好適なものである。
【図面の簡単な説明】
【００４９】
【図１】本発明の撮影装置の実施例の概念図である。
【図２】平面鏡２２を自分の顔に向けた場合の手の形を示す図である。
【図３】撮影装置の背面を示す図である。
【図４】撮影装置の制御関係を示すブロック図である。
【図５】撮影装置を用いた撮影の流れを説明するフローチャートである。
【図６】撮影装置の他の実施形態を示す図である。
【符号の説明】
【００５０】
１  撮影装置
２  撮影部
３  表示部
２２  平面鏡
３２  液晶表示面（表示手段、照明手段）
２４  撮影レンズ
２８  シャッタボタン
３１  表示手段
Ｃ  制御手段
【図１】
2008072288.tif 000003
【図２】
2008072288.tif 000004
【図３】
2008072288.tif 000005
【図４】
2008072288.tif 000006
【図５】
2008072288.tif 000007
【図６】
2008072288.tif 000008